(57)【要約】  【課題】  発光素子による通知内容を理解しやすい情報記録装置を提供する。  【解決手段】  ＥＣＵ１では、出力モードと記憶モードとの両方において、対応する状態においては同一若しくは対応する制御パターンでＬＥＤライト４３の発光制御を行う。具体的には、ＵＳＢ認識状態１０２，書出しスタンバイ状態１０３，及び記録スタンバイ状態２０３においては消灯しており、書出し操作待ち状態１０６及び記録操作待ち状態２０５においては点灯しており、書出し状態１０７及び記録状態２０６においては早い点滅を行っている。【選択図】図２
2015151012.tif 000002
【特許請求の範囲】
【請求項１】
情報処理装置（１）であって、
データを取得して記憶装置（１３）に記憶させる記憶処理を実行する記憶手段（１１）と、
前記記憶装置に記憶されたデータを外部装置に出力する出力処理を実行する出力手段（１１）と、
発光素子の発光を制御する発光制御手段（１１）と、
外部からの入力操作を受け付ける入力手段（１１）と、
当該情報処理装置を、前記記憶手段による記憶処理を実行する記憶モードと、前記出力手段による出力処理を実行する出力モードと、のいずれかの動作モードに設定するモード設定手段（１１）を備え、
当該情報処理装置は、前記記憶モード及び前記出力モードの両方の動作モードにおいて、第１の入力操作を受け付ける第１状態と、前記第１状態において前記第１の入力操作を受け付けたときに遷移し、第２の入力操作を受け付ける第２状態と、前記第２状態において前記第２の入力操作を受け付けたときに開始される前記記憶処理又は前記出力処理を実行中である第３状態と、のいずれかに遷移可能であり、
前記発光制御手段は、少なくとも、前記第１状態における制御パターンと、前記第２状態における制御パターンと、前記第３状態における制御パターンと、の３つの制御パターンにて前記発光素子の発光を制御する
ことを特徴とする情報処理装置。
【請求項２】
前記３つの制御パターンとは、点灯、消灯、点滅の３つである
ことを特徴とする請求項１に記載の情報処理装置。
【請求項３】
前記モード設定手段は、当該情報処理装置に前記外部装置が接続されている場合に前記出力モードに設定し、前記外部装置が接続されていないときに前記記憶モードに設定する
ことを特徴とする請求項１又は請求項２に記載の情報処理装置。
【請求項４】
前記発光制御手段は、前記発光素子の発光を点滅にて制御する場合には、所定の条件を満たした後に前記発光素子を消灯する
ことを特徴とする請求項１から請求項３のいずれかに記載の情報処理装置。
【請求項５】
当該情報処理装置の異常を判定する異常判定手段（１１）を備え、
前記発光制御手段は、前記異常判定手段により異常が判定されたときには、当該情報処理装置の前記状態に関らず、予め定められた制御パターンにて前記発光素子の発光を制御する
ことを特徴とする請求項１から請求項４のいずれかに記載の情報処理装置。
【発明の詳細な説明】
【技術分野】
【０００１】
本発明は、データの記録とデータの外部装置への出力を行う情報処理装置であって、発光素子の発光により動作状態を通知する情報処理装置に関する。
【背景技術】
【０００２】
従来、動作状態をＬＥＤライトのような発光素子の発光で通知する情報処理装置が用いられている。情報処理装置の複数の動作状態を通知するため、例えば、操作パネルに複数のライトを配置するものが提案されている（特許文献１参照）。またライトの色を変化させるものも存在する。
【先行技術文献】
【特許文献】
【０００３】
【特許文献１】特開平１−１１８８５８号公報
【発明の概要】
【発明が解決しようとする課題】
【０００４】
動作状態を通知するためのライトは、なるべく設置数や表示色を減らすことが望まれる場合がある。例えば、情報処理装置のサイズが小さくライトの設置面積が制限される場合や、製造コストの削減を望む場合である。しかしながら、ライトの設置数や表示色を減らすと、情報処理装置の複数の動作状態をすべて通知するためにはライトの発光パターンを増やす必要が生じる。その場合、ユーザは多数の発光パターンと動作状態とを関連付けて記憶する必要があり、通知内容が理解しにくくなるという問題があった。
【０００５】
本発明の目的は、発光素子による通知内容を理解しやすい情報記録装置を提供することである。
【課題を解決するための手段】
【０００６】
上述した問題を解決するためになされた請求項１に記載の発明は、記憶手段（１１）と、出力手段（１１）と、発光制御手段（１１）と、入力手段（１１）と、モード設定手段（１１）と、を備える情報処理装置（１）である。記憶手段は、データを取得して記憶装置（１３）に記憶させる記憶処理を実行する。出力手段は、記憶装置に記憶されたデータを外部装置に出力する出力処理を実行する。発光制御手段は、発光素子の発光を制御する。入力手段は、外部からの入力操作を受け付ける。モード設定手段は、記憶手段による記憶処理を実行する記憶モードと、出力手段による出力処理を実行する出力モードと、のいずれかの動作モードに設定する。
【０００７】
この情報処理装置は、記憶モードと出力モードの両方の動作モードにおいて、第１状態と、第２状態と、第３状態と、のいずれかに遷移可能である。第１状態とは、第１の入力操作を受け付ける状態である。第２状態とは、第１状態において上記第１の入力操作を受け付けたときに遷移する状態であって、第２の入力操作を受け付ける状態である。第３状態とは、第２状態において上記第２の入力操作を受け付けたときに開始される記憶処理又は出力処理を実行中である状態である。
【０００８】
そして発光制御手段は、少なくとも、第１状態における制御パターンと、第２状態における制御パターンと、第３状態における制御パターンと、の３つの制御パターンにて発光素子の発光を制御する。
【０００９】
このように構成された情報処理装置は、ユーザによる第１の入力操作と第２の入力操作と受け付けたときに、情報処理装置を第１状態から第２状態を経て第３状態と遷移して、所望の動作（記憶処理又は出力処理）を実行する。
【００１０】
そして、ユーザがいずれの処理を実行させようとする場合であっても、第１状態から第３状態に遷移するにあたって各状態で同じ制御パターンで発光制御を行うため、ユーザは記憶処理を実行させたい場合と出力処理を実行させたい場合とで異なる発光状態を覚えておく必要がなくなり、発光素子による通知内容を理解しやすくなる。
【００１１】
なお本発明は、記憶モードと出力モードとにおいて、第１状態から第３状態の各状態において制御パターンが完全に同一であることに限定されるものではなく、パターンの一部を変更することを除外しない。例えば、記憶モードの第３状態と出力モードの第３状態とにおいて、同じパターンでの発光制御と、異なるパターンでの発光制御と、を織り交ぜることができる。このように構成することで、ユーザに処理内容が相違することを認識させることができる。
【００１２】
ところで、上述した３つの制御パターンとは、点灯、消灯、点滅の３つとすることができる。この３つのパターンであればユーザはその見分けを簡単に行うことができる。
また本発明の情報処理装置は、モード設定手段が、情報処理装置に外部装置が接続されている場合に出力モードに設定し、外部装置が接続されていないときに記憶モードに設定するように構成してもよい。
【００１３】
このように構成された情報処理装置であれば、ユーザは外部装置の接続の有無を切り替えるだけで動作モードを変更できる。そして、情報処理装置がどの動作モードであるかを容易に認識することができるため、発光素子による通知内容の理解を容易に行うことができる。
【００１４】
なお、この欄及び特許請求の範囲に記載した括弧内の符号は、一つの態様として後述する実施形態に記載の具体的手段との対応関係を示すものであって、本発明の技術的範囲を限定するものではない。
【図面の簡単な説明】
【００１５】
【図１】情報処理装置の概略構成を示すブロック図である。
【図２】出力モードにおける状態遷移を説明する図である。
【図３】記憶モードにおける状態遷移を説明する図である。
【発明を実施するための形態】
【００１６】
以下に本発明の実施形態を図面と共に説明する。
［実施形態］
（１）全体構成
図１に示すように、本実施形態の情報処理装置１（以降、ＥＣＵ１と記載する）は、走行用駆動源としてエンジンを備える車両に搭載されて用いられ、当該車両の情報を示すデータである車両情報を記録する装置である。車両情報とは、例えば、エンジン（Ｅ／Ｇ）回転数，車速，加速度，角速度，ステアリング角度の情報を示すデータや、ＧＰＳ情報（位置情報）を示すデータなどが該当する。
【００１７】
ＥＣＵ１は、ＣＰＵ１１、不揮発性メモリ１３、ＲＡＭ１５、ＲＯＭ１７、出力インターフェース（Ｉ／Ｆ）１９、電源回路２１、電源検出回路２３、ＧＰＳレシーバ２５、車両情報検出回路２７、スイッチ検出回路２９、ＬＥＤコントローラ４１、センサ検出回路４５などを備える。
【００１８】
ＣＰＵ１１は、ＲＯＭ１７等に記憶されているプログラムに従ってＥＣＵ１を統括制御する。このＣＰＵ１１が本発明における記憶手段、出力手段、入力手段、発光制御手段、モード設定手段、及び異常判定手段の一例である。
【００１９】
不揮発性メモリ１３は電源の供給が無くともデータを保持可能であるメモリであり、図示しないメモリコントローラがＣＰＵ１１の指令を受けて車両情報を記憶させる。不揮発性メモリの代表的な例として、フラッシュメモリ、ＥＥＰＲＯＭなどが挙げられる。不揮発性メモリ１３が本発明における記憶装置の一例である。
【００２０】
出力インターフェース１９は、不揮発性メモリ１３に記憶された車両情報をＵＳＢメモリ３に出力する際にＵＳＢメモリ３と接続するためのインターフェースである。ＵＳＢメモリ３が本発明における外部装置の一例である。外部装置としては、記憶領域を有する装置であればＵＳＢメモリなどのフラッシュメモリ装置以外であってもよい。
【００２１】
電源回路２１は、車両の常時電源（＋Ｂ）、アクセサリ電源（ＡＣＣ）と接続されて、これらからの入力電力を必要な電力に変換する回路であり、変換された出力電力はＥＣＵ１を構成する各部位に供給される。
【００２２】
電源検出回路２３は、常時電源、アクセサリ電源、及びイグニッション電源（ＩＧ）と接続されており、各電源のオンオフ状態を示す電源状態信号をＣＰＵ１１に出力する回路である。なおこれらの電源は共通の１つのバッテリから出力されており、イグニッションキーの操作により出力のオンオフが切り替えられるものである。なおＩＧの信号については車両情報検出回路２７により後述するＣＡＮ３３から取得するように構成されていてもよい。
【００２３】
ＧＰＳ（Ｇｌｏｂａｌ Ｐｏｓｉｔｉｏｎｉｎｇ Ｓｙｓｔｅｍ）レシーバ２５は、ＧＰＳアンテナ３１にてＧＰＳ用の人工衛星から出力された信号を受信してＣＰＵ１１に出力する。
【００２４】
車両情報検出回路２７は、ＣＡＮ（Ｃｏｎｔｒｏｌｌｅｒ  Ａｒｅａ  Ｎｅｔｗｏｒｋ）３３に接続されており、ＣＡＮ３３と接続する他のＥＣＵが出力する車両の状態を示す情報を取得してＣＰＵ１１に出力する回路である。
【００２５】
スイッチ検出回路２９は、運転者のスイッチ３５に対する入力操作を示す信号を取得して、入力操作の内容をＣＰＵ１１に出力する回路である。スイッチ３５は運転者が操作可能な位置、例えばインストルメントパネル近傍に設けられている。
【００２６】
ＬＥＤコントローラ４１は、ＣＰＵ１１の指令を受けて、ＬＥＤライト４３への電圧印加のタイミングを切り替える装置である。ＬＥＤコントローラ４１から電圧印加がされているタイミングのみＬＥＤライト４３は発光する。またＬＥＤコントローラ４１は電圧印加のオンオフのデューティー比や周期などを調整することで点滅の態様を変更する。ＬＥＤライト４３はスイッチ３５の近傍に設けられているが、スイッチ３５と一体化して設けられていてもよい。
【００２７】
センサ検出回路４５は、複数の走行情報センサ４７に接続されており、走行情報センサ４７から取得した走行情報をＣＰＵ１１に出力する回路である。走行情報センサ４７とは車両の走行状態を示すデータを取得するセンサであり、一例として加速度センサや角速度センサが該当するが、これ以外のセンサの情報を取得してもよい。
【００２８】
（２）ＥＣＵ１による動作
＜ＣＰＵ１１の動作＞
ＣＰＵ１１は、車両情報検出回路２７などからデータを取得して、不揮発性メモリ１３に記憶させる記憶処理を実行する。また、不揮発性メモリ１３に記憶されたデータを外部装置であるＵＳＢメモリ３に出力する出力処理を実行する。
【００２９】
またＣＰＵ１１は、ＥＣＵ１を、記憶処理を実行する記憶モードと、出力処理を実行する出力モードと、のいずれかの動作モードに設定する。
またＣＰＵ１１は、ＬＥＤコントローラ４１を制御することによりＬＥＤライト４３の発光を制御する。本実施形態では、消灯、点灯、及び４つの点滅からなる６つの制御パターンで発光を制御する。
【００３０】
またＣＰＵ１１は、スイッチ検出回路２９を介してスイッチ３５への入力操作を受け付け、後述するように各動作モードにおけるＥＣＵ１の状態を遷移させる。
＜ＥＣＵ１の出力モードにおける状態遷移＞
図２に基づいて出力モードの状態遷移を説明する。この出力モードは、ＵＳＢメモリ３が出力Ｉ／Ｆ１９に接続されているときの動作モードである。
【００３１】
状態１０１に示すように、常時電源のみがオンであり、アクセサリ電源オフかつエンジンオフ（イグニッション電源オフ）の場合には、低消費電力モードとなる。このとき、ＥＣＵ１の各部位への電力供給はほとんどなく、機能は停止している。またこのとき、ＬＥＤライト４３は消灯している。
【００３２】
アクセサリ電源がオン、或いはエンジンオンとなると、ＥＣＵ１は状態１０２に遷移する。なおアクセサリ電源がオフとなると、そのときの動作状態に関らず、ＥＣＵ１は状態１０１に遷移する。
【００３３】
状態１０２はＵＳＢ認識状態である。ここでは、ＵＳＢ認識処理として、ＵＳＢメモリ３の接続が適切に行われてＵＳＢメモリ３へのデータ書込みが可能であるかをチェックする。同時に、ＥＣＵ１に異常がないか否かをチェックする。異常が検出されないときＬＥＤライト４３は消灯している。そしてＵＳＢ認識処理が終了すると、ＥＣＵ１は状態１０３に遷移する。
【００３４】
状態１０２で異常が検出されたとき、その異常が出力処理に影響を与えない異常である場合、例えば記憶処理にのみ影響を与える異常である場合には、ＣＰＵ１１はＬＥＤライト４３を点滅させる。このときの点滅パターンは、例えば、１２０ｍｓ（ミリ秒、以下同様）オン、１８８０ｍｓオフのデューティー比６％である。この点滅パターンを、以降、異常点滅パターンと記載する。所定期間（本実施形態では５分）を経過するか、異常が解消したときに、ＣＰＵ１１はＬＥＤライト４３を消灯させる。
【００３５】
一方、その異常が出力処理に影響を与える異常である場合、ＥＣＵ１は状態１０４に遷移する。また、ＵＳＢ認識処理が５分以上継続した場合にも状態１０４に遷移する。
状態１０４は異常状態である。ここでは、まず、異常点滅パターンで５分間点滅を行い、その後消灯する。スイッチ３５への入力があると、異常点滅パターンでの点滅を５分間実行する。状態１０４のときに異常が解消するとＥＣＵ１は状態１０２へ戻る。
【００３６】
状態１０２において（つまり、ＵＳＢ認識処理が完了しないタイミングにおいて）スイッチ３５への入力があると、ＥＣＵ１は状態１０５へ遷移する。状態１０５でもＵＳＢ認識処理を継続するが、その間ＣＰＵ１１はＬＥＤライト４３を点滅させる。このときの点滅パターンは、例えば、５００ｍｓオン、５００ｍｓオフのデューティー比５０％である比較的遅い点滅である。この点滅パターンを、以降、認識中点滅パターンと記載する。ＵＳＢ認識処理が完了すると、ＥＣＵ１は状態１０６に遷移する。
【００３７】
なお状態１０５においても異常チェックは行われ、出力処理に影響を与える異常である場合、ＥＣＵ１は状態１０４に遷移する。また、ＵＳＢ認識処理が５分以上継続した場合にも状態１０４に遷移する。
【００３８】
状態１０３は、書出しスタンバイ状態である。ここではＣＰＵ１１はスイッチ３５への入力操作が行われたか否かをチェックしており、スイッチ３５への入力操作があるまで待機する。入力操作があれば、ＥＣＵ１は状態１０６に遷移する。なおこの状態１０３でも異常チェックは行われ、状態１０２と同様に、出力処理に影響を与えない異常である場合には状態は遷移せずに異常点滅パターンで５分間点滅する。一方、出力処理に影響を与える異常である場合、ＥＣＵ１は状態１０４に遷移する。
【００３９】
状態１０６は、書出し操作待ち状態である。ここでは、スイッチ３５への入力操作が行われるまで待機するが、入力操作なく５分経過すると状態１０３に戻る。この状態１０６ではＣＰＵ１１はＬＥＤライト４３を点灯させる。スイッチ３５への入力操作が行われると、ＥＣＵ１は状態１０７に遷移する。
【００４０】
状態１０７は、書出し状態である。ここではＣＰＵ１１は不揮発性メモリ１３に記憶されたデータ（車両情報）をＵＳＢメモリ３への書出す出力処理を実行する。その間ＣＰＵ１１はＬＥＤライト４３を点滅させる。このときの点滅パターンは、例えば、２５０ｍｓオン、２５０ｍｓオフのデューティー比５０％である比較的早い点滅を３セット行った後、１５００ｍｓオフとなる点滅パターンである。この点滅パターンを、以降、書出し点滅パターンと記載する。データの書出しが完了すると、ＥＣＵ１は状態１０６へ戻る。
【００４１】
なお、状態１０６及び状態１０７においても異常のチェックを行っており、異常が検出されると状態１０４に遷移する。
また、出力モードにおいてＵＳＢメモリ３が出力Ｉ／Ｆ１９から抜去された場合には、ＩＧ電源がオンのとき（エンジンオンのとき）には後述する図２の状態２０５に遷移し、ＩＧ電源はオフだがアクセサリ電源がオンのときには後述する図２の状態２０２に遷移する。
【００４２】
なお、ＵＳＢ認識状態１０２と書出しスタンバイ状態１０３が本発明における第１状態の一例であり、書出し操作待ち状態１０６が本発明における第２状態の一例であり、書出し状態１０７が本発明における第３状態の一例である。またスイッチ３５への入力操作が、本発明における第１の入力操作及び第２の入力操作の一例である。
【００４３】
＜ＥＣＵ１の記憶モードにおける状態遷移＞
図３に基づいて記憶モードの状態遷移を説明する。この記憶モードは、ＵＳＢメモリ３が出力Ｉ／Ｆ１９に接続されていないときの動作モードである。
【００４４】
状態２０１に示すように、常時電源のみがオンであり、アクセサリ電源オフかつエンジンオフ（イグニッション電源オフ）の場合には、低消費電力モードとなる。このとき、ＥＣＵ１の各部位への電力供給はほとんどなく、機能は停止している。またこのとき、ＬＥＤライト４３は消灯している。
【００４５】
アクセサリ電源がオンとなると、ＥＣＵ１は状態２０２に遷移する。なおアクセサリ電源がオフとなると、そのときの動作状態に関らず、ＥＣＵ１は状態２０１に遷移する。
状態２０２は停止状態である。ここでは、ＩＧ電源がオンとなるか否かを判定すると同時に、異常がないか否かをチェックする。異常が検出されないときＬＥＤライト４３は消灯している。ＩＧ電源がオンとなると、ＥＣＵ１は状態２０３に遷移する。
【００４６】
状態２０２で異常が検出されたとき、その異常が記憶処理に影響を与えない異常である場合、例えば出力処理にのみ影響を与える異常である場合には、ＣＰＵ１１は異常点滅パターンにてＬＥＤライト４３を点滅させる。所定期間（本実施形態では５分）を経過するか、異常が解消したときに、ＣＰＵ１１はＬＥＤライト４３を消灯させる。
【００４７】
一方、その異常が記憶処理に影響を与える異常である場合、ＥＣＵ１は状態２０４に遷移する。
状態２０４は異常状態である。ここでは、まず、異常点滅パターンで５分間点滅を行い、その後消灯する。スイッチ３５への入力があると、異常点滅パターンでの点滅を５分間実行する。状態２０４のときに異常が解消すると、そのときの電源状態に応じてＥＣＵ１は状態２０２又は状態２０３に戻る。
【００４８】
状態２０３は記録スタンバイ状態である。ここでは、ＣＰＵ１１はスイッチ３５への力操作が行われたか否かをチェックしており、スイッチ３５への入力操作があるまで待機する。入力操作があれば、ＥＣＵ１は状態２０５に遷移する。なおこの状態２０３でも異常チェックは行われ、状態２０２と同様に、記憶処理に影響を与えない異常である場合には状態は遷移せずに異常点滅パターンで５分間点滅する。一方、記憶処理に影響を与える異常である場合、ＥＣＵ１は状態２０４に遷移する。
【００４９】
なお状態２０３，２０５，２０６のときには常時ＩＧ電源をチェックしており、ＩＧ電源がオフとなると、ＥＣＵ１は状態２０２に遷移する。
状態２０５は記録操作待ち状態である。この状態１０５では、まずＣＰＵ１１はＧＰＳアンテナ３１からの出力に基づいてＧＰＳ測位を実行する。このとき、ＣＰＵ１１は認識中点滅パターンにてＬＥＤライト４３を点滅させる。ＧＰＳ測位中はスイッチ３５の入力操作を受け付けず、車両情報の記録は開始できない。所定数以上のＧＰＳ衛星からの信号受信を確認すると、ＧＰＳ測位準備完了として、ＣＰＵ１１はＬＥＤライト４３を点灯させる。その後、スイッチ３５への入力操作が行われるまで待機するが、入力操作なく５分経過すると状態２０３に戻る。状態２０５にてスイッチ３５への入力操作が行われると、ＥＣＵ１は状態２０６に遷移する。
【００５０】
状態２０６は、記録状態である。ここではＣＰＵ１１は車両情報検出回路２７を介して取得した車両情報を不揮発性メモリ１３に記憶させる記憶処理を実行する。その間ＣＰＵ１１はＬＥＤライト４３を点滅させる。このときの点滅パターンは、例えば、２５０ｍｓオン、２５０ｍｓオフのデューティー比５０％である比較的早い点滅である。この点滅パターンを、以降、記録点滅パターンと記載する。
【００５１】
状態２０６にてスイッチ３５への入力操作が行われると、記憶処理を終了してＥＣＵ１の状態が状態２０５に遷移する。なおスイッチ３５への入力操作は、状態２０６に遷移してから１秒間は受け付けない。これは、ユーザが誤ってスイッチ３５を連打したときに状態２０５に遷移してしまうことを防止するためである。
【００５２】
なお、状態２０５及び状態２０６においても異常のチェックを行っており、異常が検出されると状態２０４に遷移する。
また、記憶モードにおいてＵＳＢメモリ３が出力Ｉ／Ｆ１９に挿入された場合には、図２の状態１０５に遷移する。
【００５３】
なお、記録スタンバイ状態２０３が本発明における第１状態の一例であり、記録操作待ち状態２０５が本発明における第２状態の一例であり、記録状態２０６が本発明における第３状態の一例である。またスイッチ３５への入力操作が本発明における第１の入力操作及び第２の入力操作の一例である。
【００５４】
（３）効果
本実施形態のＥＣＵ１では、出力モードと記憶モードとの両方において、対応する状態においては同一若しくは対応する制御パターンでＬＥＤライト４３の発光制御を行う。具体的には、本発明の第１状態に該当するＵＳＢ認識状態１０２，書出しスタンバイ状態１０３，及び記録スタンバイ状態２０３においては消灯しており、本発明の第２状態に該当する書出し操作待ち状態１０６及び記録操作待ち状態２０５においては点灯しており、本発明の第３状態に該当する書出し状態１０７及び記録状態２０６においては早い点滅を行っている。
【００５５】
このように、２つの動作モードにおいて対応する状態では同じ制御パターンで発光させることで、制御パターンの数が増大することを抑制でき、ユーザはＬＥＤライトによる通知の内容を容易に理解することができるようになる。
【００５６】
なお、書出し状態１０７の書出し点滅パターンと記録状態２０６の記録点滅パターンは、いずれも早い点滅を行うことでユーザに出力処理又は記憶処理の実行中であることを通知するが、書出し点滅パターンでは長い消灯を組み合わせているため、ユーザは、処理内容が相違することを認識することができる。
【００５７】
またＥＣＵ１は、上述したように３つの制御パターンにて発光制御するのみでなく、ＣＰＵ１１の処理実行中でユーザが操作できないとき、具体的には状態１０５と状態２０５のＧＰＳ測位中とにおいて、上記３つのパターンとは異なる認識中点滅パターンにて点滅動作を行うため、ユーザは処理中である場合の点滅パターンを１つ記憶することで、２つの状態を認識することができるようになる。
【００５８】
また、ユーザはＵＳＢメモリ３の接続の有無を切り替えるだけで動作モードを変更できる。そして、ＥＣＵ１がどの動作モードであるかを容易に認識することができるため、ＬＥＤライト４３による通知内容の理解を容易に行うことができる。
【００５９】
また本実施形態のＥＣＵ１は、ＬＥＤライト４３を異常点滅パターンで発光制御するときには５分経過後に消灯するため、継続して点滅することによる煩わしさを低減できる。なお、消灯する条件は所定の時間を経過した場合に限られることはなく、所定回数発光した場合やユーザが所定の運転操作を実行した場合など、様々な条件とすることができる。
【００６０】
また本実施形態のＥＣＵ１では、ユーザはデータの記録又は書出しを、スイッチ操作２回、又は、スイッチ操作及びＵＳＢメモリの挿入・抜去の２アクションで実行させることができる。よって、操作が簡便である上、どのような動作状態であるのかを容易に認識することができる。
【００６１】
［その他の実施形態］
以上本発明の実施形態について説明したが、本発明は、上記実施形態に何ら限定されることはなく、本発明の技術的範囲に属する限り種々の形態をとり得ることはいうまでもない。
【００６２】
例えば、上記実施形態においては、発光制御を行う対象を１つのＬＥＤライト４３とする構成を例示したが、複数のＬＥＤライト４３を備えていてもよい。異なる動作モードにおける対応する状態について異なるライトが同一の発光制御を行うことで、ユーザは通知内容の理解を容易に行うことができる。
【００６３】
また上記実施形態においては、入力操作を行う対象がスイッチ３５のみである構成を例示したが、複数の入力装置を備える構成であってもよい。つまり、本発明における第１の入力操作及び第２の入力操作は、異なる入力装置によって入力される構成であってもよい。
【００６４】
また上記実施形態においては、本発明の情報処理装置を車両に搭載されるデータ記録用のＥＣＵとして適用する構成を例示したが、それ以外の装置にも適用することができる。例えばデータの記憶処理とフラッシュメモリなどへの出力処理を実行することが考えられるデジタルスチルカメラやボイスレコーダなどに適用することが考えられる。
【００６５】
なお上記実施形態においては、６つの制御パターンで発光制御を行う構成を例示したが、異常点滅パターン、認識中点滅パターンを有さない、又は別のパターンで発光制御を行う構成であってもよい。また、書出し点滅パターンと記録点滅パターンとが完全に一致するように構成されていてもよい。
【符号の説明】
【００６６】
１…情報処理装置（ＥＣＵ）、３…ＵＳＢメモリ、１１…ＣＰＵ、１３…不揮発性メモリ、１５…ＲＡＭ、１７…ＲＯＭ、１９…出力インターフェース、２９…スイッチ検出回路、３５…スイッチ、４１…ＬＥＤコントローラ、４３…ＬＥＤライト
【図１】
2015151012.tif 000003
【図２】
2015151012.tif 000004
【図３】
2015151012.tif 000005